(57)【要約】【課題】薄型且つコンパクトで、ケース内に収納された基板等の端子部と、導体に電気的に接続された端子とを接続し、ケースの先端部を嵌合して固定することができるコネクタおよびコネクタアセンブリを提供する。【解決手段】基板と電気的に接続される接続部を備え、複数個並列配置した端子が、接続部が向かい合うように垂直方向に上下に配置される端子部と、一方の端部の外周部に設けられて、基板を収納する上ケースおよび下ケースのそれぞれの先端部が嵌合され、固定されるケース固定部と、基板の一部が装着される基板受け入れ空洞部と、他方の端部に設けられて、基板受け入れ空洞部を挟み、端子が相互に向かいあって装着される、端子受け入れ空洞部とを備えたコネクタハウジング部とを備え、基板受け入れ空洞部に装着された基板に、端子受け入れ空洞部に装着された端子部の対応する端子の接続部が、上下から挟むようにして電気的に接続されるコネクタ。【選択図】図１
2010238372.tif 000002
【特許請求の範囲】
【請求項１】
基板と電気的に接続される接続部を先端部に備え、水平方向に複数個並列配置した端子が、前記接続部が向かい合うように垂直方向に上下に配置される端子部と、
一方の端部の外周部に設けられて、前記基板を収納する上ケースおよび下ケースのそれぞれの先端部が嵌合され、固定されるケース固定部と、前記一方の端部の概ね中央部に設けられて、基板の一部が装着される基板受け入れ空洞部と、他方の端部に設けられて、前記基板受け入れ空洞部を挟み、前記端子が相互に向かいあって上下に装着される、複数の端子受け入れ空洞部とを備えたコネクタハウジング部とを備え、
前記基板受け入れ空洞部に装着された前記基板に、前記端子受け入れ空洞部に装着された前記端子部の対応する前記端子の前記接続部が、上下から挟むようにして電気的に接続されるコネクタ。
【請求項２】
前記ケース固定部が、コネクタハウジング部の外周部に、一体的に形成されたコネクタフード部からなっており、上下に分割された上ケースおよび下ケースのそれぞれの先端部が嵌合される、環状のケース受け入れ空洞部を形成している、請求項１に記載のコネクタ。
【請求項３】
前記上ケースの先端部および前記コネクタフード部の対応する部位に、嵌合された前記上下ケースの先端部を固定するロック機構を備えている、請求項２に記載のコネクタ。
【請求項４】
前記ロック機構が、前記上ケースの先端部に設けられた突起部、および、前記コネクタフード部に設けられた窪み部からなっており、前記上下ケースの先端部を前記環状のケース受入部に挿入することによって、前記突起部と前記窪み部が噛み合う、請求項３に記載のコネクタ。
【請求項５】
前記コネクタフードの内側の面に、前記端子受け入れ空洞部の長手方向に沿って設けられた少なくとも１つのリブ部と、前記上下ケースの先端部に形成された、前記リブ部に対応する形状の溝部とを備え、前記上下ケースの先端部の前記ケース受入部への嵌合を誘導する、請求項２から４の何れか１項に記載のコネクタ。
【請求項６】
前記リブ部の一部に形成された位置決め用の凸形状部と、前記溝部の底面に形成された前記凸形状部に対応する形状の凹形状部を備えている、請求項５に記載のコネクタ。
【請求項７】
前記上下ケースの先端部に形成された溝部の端部、および、前記リブ部の端部にそれぞれテーパー部を備えている、請求項５または６に記載のコネクタ。
【請求項８】
前記端子の前記接続部が突起状接続部を備え、前記突起状接続部が弾性接触部を備えて、前記基板を挟みこんでいる、請求項１から７の何れか１項に記載のコネクタ。
【請求項９】
前記環状のケース受入部を形成する前記コネクタフード部の厚さが、前記基板側の端部から漸次厚くなっており、前記上ケースおよび下ケースの前記先端部の厚さが、前記コネクタフード部に対応して、先端に向かって漸次薄くなっている、請求項２から８の何れか１項に記載のコネクタ。
【請求項１０】
基板と、
前記基板を収納する、上下に分割された上ケースおよび下ケースであって、ケース本体部とコネクタハウジング部との嵌合部を形成する先端部とを備えたケースと、
前記基板と電気的に接続される接続部を先端部に備え、水平方向に複数個並列配置した端子が、前記接続部が向かい合うように垂直方向に上下に配置される端子部と、
一方の端部の外周部に設けられて、前記上ケースおよび下ケースのそれぞれの先端部が嵌合され、固定されるケース固定部と、前記一方の端部の概ね中央部に設けられて、基板の一部が装着される基板受け入れ空洞部と、他方の端部に設けられて、前記基板受け入れ空洞部を挟み、前記端子が相互に向かいあって上下に装着される、複数の端子受け入れ空洞部とを備えたコネクタハウジング部とを備え、
前記ケースの先端部が前記ケース固定部に固定され、前記基板受け入れ空洞部に装着された前記基板に、前記端子受け入れ空洞部に装着された前記端子部の対応する前記端子の前記接続部が、上下から挟むようにして電気的に接続されるコネクタアセンブリ。
【発明の詳細な説明】
【技術分野】
【０００１】
この発明は、装着された基板等の一部を上下から挟み込むように保持して、基板と導体に接続された端子とが電気的に接続される電気コネクタ、特に基板等を収納するケースの端部を固定するコネクタフード部を備えた電気コネクタに関する。
【背景技術】
【０００２】
基板と導体に接続された端子とが電気的に接続される電気コネクタは、例えば、上壁と下壁の間を水平方向に設けられた１つの中間壁と、垂直方向に設けられた複数の隔壁とによって縦横に仕切られて、格子状に仕切られた複数の端子受け入れ空洞部が２段以上に形成されている。格子状に仕切られた複数の端子受け入れ空洞部のそれぞれに、導体に電気的に接続された端子が収納される。
【０００３】
電気コネクタにおいては、一方の端部に端子受け入れ空洞部が設けられ、個々の端子受け入れ空洞部の他方の端部（前端）に、相手側端子が挿入されるための小さな受け入れ口を備えている（特開平１１−２０４１８５号公報参照）。
【０００４】
更に、電気コネクタの他の形態として、基板が電気的に接続されるカードエッジターミナルが、用いられている。例えば、カードエッジターミナルは、電気的配線を圧着する圧着部と、基板を挟持する挟持部と、圧着部および挟持部とを接続するボックス部を備えている。圧着部は、電気的配線の導体部を圧着する部分と、電気的配線の皮膜部を圧着する部分とを備えている。挟持部は、基板の表裏面の電源パターンに付勢するとともに電気的に接続を行うバネ部分、バネ部分の付勢を受けた基板を支持する固定部を有している。これにより、基板がカードエッジターミナルの挟持部に嵌挿された場合、バネ部分が電源パターンと電気的に接続されることにより、電源パターンと圧着された電気的配線とが電気的に接続される（特開２００６−１６４７５７号公報参照）。
【先行技術文献】
【特許文献】
【０００５】
【特許文献１】特開平１１−２０４１８５号公報
【特許文献２】特開２００６−１６４７５７号公報
【特許文献３】特開平１０−３２２８５５号公報
【発明の概要】
【発明が解決しようとする課題】
【０００６】
特開平１１−２０４１８５号公報に開示された電気コネクタにおいては、上述したように、一方の端部に端子受け入れ空洞部が設けられ、個々の端子受け入れ空洞部の他方の端部（前端）に、相手側端子が挿入されるための小さな受け入れ口を備えている。従って、基板等の端子部への接続には対応することができない。特開２００６−１６４７５７号公報に開示されたコネクタは、基板等の端子部への接続に適しているが、コネクタハウジングに設けられた貫通孔に個々のカードエッジターミナルが装着される。即ち、個々のカードエッジターミナルが基板を挟み込む部材を備えている。従って、基板等の端子部の両面に電気的に接続するためには、もう一段の貫通孔およびカードエッジターミナルが必要であり、コネクタハウジングのサイズが大きくなってしまう。
また、コネクタ嵌合壁が上下分割されたハウジング構造において、コネクタ挿入時に上下に分割されたケースが互いに離反する方向に開いてしまう問題がある。
【０００７】
従って、本発明の目的は、薄型且つコンパクトで、ケース内に収納された基板等の端子部と、導体に電気的に接続された端子とを接続し、ケースの先端部を嵌合して固定することができるコネクタおよびコネクタアセンブリを提供することにある。
【課題を解決するための手段】
【０００８】
上記の課題を解決する為に、基板等を収納する上下に分割されたケース（筐体）の先端部にコネクタハウジング部との嵌合部としての先端部を設け、コネクタハウジング部の外周部に先端部が装着される環状の空洞部を形成するコネクタフード部を一体的に設けると、コネクタハウジング部にケースの先端部が固定され、基板とハウジングに装着される端子とが、端子が基板を挟み込むようにして、電気的に接続され、薄型且つコンパクトなコネクタおよびコネクタアセンブリが得られる。
【０００９】
更に、コネクタフード部の内側にリブ部を設け、ケースの先端部にリブ部に対応する溝部を設けると、リブ部および溝部によって、ケースの先端部とコネクタフード部の嵌合が容易に行われる。更に、コネクタフード部およびケースの先端部にロック機能を備えることによって、コネクタフード部へのケース先端部の固定を確実に行うことができる。
更に、リブ部および溝部に対応する凸形状部、凹形状部を備えることによって、コネクタフード部へのケース先端部の嵌合の位置決めを容易に行うことができる。
また、コネクタ挿入時に、上下ケースのコネク嵌合部をコネクタフード部が覆うように設けられる事によって、上下ケースのコネクタ嵌合壁が離反方向に開くのを防止する事が出来る。
【００１０】
この発明のコネクタの第１の態様は、基板と電気的に接続される接続部を先端部に備え、水平方向に複数個並列配置した端子が、前記接続部が向かい合うように垂直方向に上下に配置される端子部と、
一方の端部の外周部に設けられて、前記基板を収納する上ケースおよび下ケースのそれぞれの先端部が嵌合され、固定されるケース固定部と、前記一方の端部の概ね中央部に設けられて、基板の一部が装着される基板受け入れ空洞部と、他方の端部に設けられて、前記基板受け入れ空洞部を挟み、前記端子が相互に向かいあって上下に装着される、複数の端子受け入れ空洞部とを備えたコネクタハウジング部とを備え、
前記基板受け入れ空洞部に装着された前記基板に、前記端子受け入れ空洞部に装着された前記端子部の対応する前記端子の前記接続部が、上下から挟むようにして電気的に接続されるコネクタである。
【００１１】
この発明のコネクタの第２の態様は、前記ケース固定部が、コネクタハウジング部の外周部に、一体的に形成されたコネクタフード部からなっており、上下に分割された上ケースおよび下ケースのそれぞれの先端部が嵌合される、環状のケース受け入れ空洞部を形成しているコネクタである。  
【００１２】
この発明のコネクタの第３の態様は、前記上ケースの先端部および前記コネクタフード部の対応する部位に、嵌合された前記上下ケースの先端部を固定するロック機構を備えているコネクタである。  
【００１３】
この発明のコネクタの第４の態様は、前記ロック機構が、前記上ケースの先端部に設けられた突起部、および、前記コネクタフード部に設けられた窪み部からなっており、前記上下ケースの先端部を前記環状のケース受入部に挿入することによって、前記突起部と前記窪み部が噛み合うコネクタである。  
【００１４】
この発明のコネクタの第５の態様は、前記コネクタフードの内側の面に、前記端子受け入れ空洞部の長手方向に沿って設けられた少なくとも１つのリブ部と、前記上下ケースの先端部に形成された、前記リブ部に対応する形状の溝部とを備え、前記上下ケースの先端部の前記ケース受入部への嵌合を誘導するコネクタである。    
【００１５】
この発明のコネクタの第６の態様は、前記リブ部の一部に形成された位置決め用の凸形状部と、前記溝部の底面に形成された、前記凸形状部に対応する形状の凹形状部を備えているコネクタである。  
【００１６】
この発明のコネクタの第７の態様は、前記上下ケースの先端部に形成された溝部の端部、および、前記リブ部の端部にそれぞれテーパー部を備えているコネクタである。  
【００１７】
この発明のコネクタの第８の態様は、前記端子の前記接続部が突起状接続部を備え、前記突起状接続部が弾性接触部を備えて、前記基板を挟みこんでいるコネクタである。  
【００１８】
この発明のコネクタの第９の態様は、前記環状のケース受入部を形成する前記コネクタフード部の厚さが、前記基板側の端部から漸次厚くなっており、前記上ケースおよび下ケースの前記先端部の厚さが、前記コネクタフード部に対応して、先端に向かって漸次薄くなっているコネクタである。
【００１９】
この発明のコネクタアセンブリの第１の態様は、基板と、
前記基板を収納する、上下に分割された上ケースおよび下ケースであって、ケース本体部とコネクタハウジング部との嵌合部を形成する先端部とを備えたケースと、
前記基板と電気的に接続される接続部を先端部に備え、水平方向に複数個並列配置した端子が、前記接続部が向かい合うように垂直方向に上下に配置される端子部と、
一方の端部の外周部に設けられて、前記上ケースおよび下ケースのそれぞれの先端部が嵌合され、固定されるケース固定部と、前記一方の端部の概ね中央部に設けられて、基板の一部が装着される基板受け入れ空洞部と、他方の端部に設けられて、前記基板受け入れ空洞部を挟み、前記端子が相互に向かいあって上下に装着される、複数の端子受け入れ空洞部とを備えたコネクタハウジング部とを備え、
前記ケースの先端部が前記ケース固定部に固定され、前記基板受け入れ空洞部に装着された前記基板に、前記端子受け入れ空洞部に装着された前記端子部の対応する前記端子の前記接続部が、上下から挟むようにして電気的に接続されるコネクタアセンブリである。
【発明の効果】
【００２０】
この発明によると、基板等を収納する上下に分割されたケース（筐体）の先端部にコネクタハウジング部との嵌合部としての先端部を設け、コネクタハウジング部の外周部に先端部が装着される環状の空洞部を形成するコネクタフード部を一体的に設けるので、コネクタハウジング部にケースの先端部が固定され、基板とハウジングに装着される端子とが、端子が基板を挟み込むようにして、電気的に接続されて、薄型且つコンパクトなコネクタおよびコネクタアセンブリが得られる。
また、コネクタ挿入時に、上下ケースのコネク嵌合部をコネクタフード部が覆うように設けられる事によって、上下ケースのコネクタ嵌合壁が離反方向に開くのを防止する事が出来る。
【００２１】
コネクタフード部の内側にリブ部を設け、ケースの先端部にリブ部に対応する溝部を設けると、リブ部および溝部によって、ケースの先端部とコネクタフード部の嵌合が容易に行われる。更に、コネクタフード部およびケースの先端部にロック機能を備えることによって、コネクタフード部へのケース先端部の固定を確実に行うことができる。
リブ部および溝部に対応する凸形状部、凹形状部を備えることによって、コネクタフード部へのケース先端部の嵌合の位置決めを容易に行うことができる。
【図面の簡単な説明】
【００２２】
【図１】図１は、この発明のコネクタおよびコネクタアセンブリの分解斜視図である。
【図２】図２は、端子部４の端子１７を説明する斜視図である。
【図３】図３は、コネクタアセンブリの平面図である。
【図４】図４は、コネクタアセンブリの側面図である。
【図５】図５は、図４に示すD−D線に沿った断面図である。
【図６】図６は、図３におけるＡ−Ａ線に沿った断面図である。
【図７】図７は、図６における円で囲んだ部分Ｅの拡大図である。
【図８】図８は、図３におけるＢ−Ｂ線に沿った断面図である。
【図９】図９は、図３におけるＣ−Ｃ線に沿った断面図である。
【図１０】図１０は、図９に示す楕円で囲んだ部分Ｆの拡大図である。
【発明を実施するための形態】
【００２３】
この発明のコネクタおよびコネクタアセンブリを、図面を参照しながら説明する。
この発明のコネクタの１つの態様は、基板と電気的に接続される端子部と、基板を収納する上ケースおよび下ケースの先端部が嵌合され固定されるケース固定部を有するコネクタハウジング部とを備えている。端子部は、基板と電気的に接続される突起状接続部を先端部に備え、水平方向に複数個並列配置した端子を備え、突起状接続部が向かい合うように垂直方向に上下に配置されている。
【００２４】
コネクタハウジング部は、一方の端部の外周部に設けられて、前記基板を収納する上ケースおよび下ケースのそれぞれの先端部が嵌合され、固定されるケース固定部と、前記一方の端部の概ね中央部に設けられて、基板の一部が装着される基板受け入れ空洞部と、他方の端部に設けられて、前記基板受け入れ空洞部を挟み、前記端子が相互に向かいあって上下に装着される、複数の端子受け入れ空洞部とを備えている。この発明の１つの態様においては、コネクタは、基板を収納する上ケースおよび下ケースの先端部を嵌合し固定するコネクタフード部を有し、基板受け入れ空洞部に装着された基板を、端子受け入れ空洞部に装着された端子群の対応する端子の突起状接続部が、上下から挟むように電気的に接続している。
【００２５】
図１は、この発明のコネクタおよびコネクタアセンブリの分解斜視図である。図１に示すように、基板５を収納するケースは、対称的に２分割された上ケース６および下ケース９からなっている。上ケース６は上ケース本体７と先端部８を備えている。下ケース９は下ケース本体１０と先端部１１を備えている。上ケース６および下ケース９を、対応する面で合わせると、上ケース６の先端部８および下ケース９の先端部１１は、概ね環状の突出した部分となり、後述するコネクタハウジング部との間の嵌合部を形成する。
【００２６】
上ケース６の先端部８および下ケース９の先端部１１には、それぞれ少なくとも１本の溝部１２が形成されている。更に、上ケース６の先端部８の上表面の中央部には、先端部に向かって下方に傾斜した上面を備えた突起部１４が一体的に形成されている。図１に示す態様では、上ケース６の先端部８には２本の溝部１２が形成され、その間に突起部１４が形成され、下ケース９の先端部１１には３本の溝部１３が形成されている。
【００２７】
図１に示すように、端子部４は、基板５と電気的に接続される接続部を先端部に備え、水平方向に複数個並列配置した端子１７が、上述した接続部が向かい合うように垂直方向に上下に配置されている。
コネクタハウジング部２は、一方の端部の外周部に設けられて、基板５を収納する上ケース６および下ケース９のそれぞれの先端部８．１１が嵌合され、固定されるケース固定部と、一方の端部の概ね中央部に設けられて、基板５の一部が装着される基板受け入れ空洞部と、他方の端部に設けられて、基板受け入れ空洞部を挟み、端子１７が相互に向かいあって上下に装着される、複数の端子受け入れ空洞部１６とを備えている。
【００２８】
図２は、端子部４の端子１７を説明する斜視図である。図２に示すように、一方の端部（即ち、後端部）に導体の例えば被覆部を機械的にかしめて固定する導体固定部２９、および、かしめて導体と電気的に接続する導体接続部２０を備えている。端子１７は、他方の端部（即ち、先端部）に相手側端子である基板５と電気的に接続する突起状接続部２６を備えている。
【００２９】
突起状接続部２６は、対応する他の端子１７の突起状接続部２６と共に基板５を挟み込み弾性接触部（例えば、ばね）によってその固定状態を保持している。更に、端子１７は、概ね中央部の一方の側にコネクタハウジング部３への挿入ガイド用のスタビライザ部２７、他方の側にボックス部２８を備えている。
【００３０】
上述した端子１７が、上述した突起状接続部２６を同一側に備えた状態で、水平方向に複数個並列に配置される。このように複数個並列に配置された端子１７が、端子１７の突起状接続部２６が相互に向かい合うように垂直方向に上下に配置されて、端子部４を形成する。
【００３１】
図３は、コネクタアセンブリの平面図である。図４は、コネクタアセンブリの側面図である。図３および図４に示すように、上ケース６および下ケース９の対応する面が合わさって、上ケース６の先端部８および下ケース９の先端部１１が、コネクタハウジング部３の外周部に形成されたコネクタフード部１８に嵌合され、固定されている。
【００３２】
図３に示すように、ロック機構を形成するコネクタハウジング部３のコネクタフード部１８に形成された窪み部１５には、上ケース６の先端部８に形成された突起部１４が噛み合って、コネクタフード部１８に上ケース６および下ケース９が固定されている。このように上ケース６、下ケース９がコネクタハウジング部３に固定されて、容易に脱落することはない。
【００３３】
図１に示すように、コネクタハウジング部３においては、図２を参照して説明した端子１７が収納される端子受け入れ空洞部１６−１、１６−２が、コネクタハウジング部３の長軸方向に沿って概ねコネクタハウジング部３の全長にわたって形成されている。即ち、上側の端子１７が収納される端子受け入れ空洞部１６−１には、端子１７の突起状接続部２６が下方を向いた状態で収納される。下側の端子１７が収納される端子受け入れ空洞部１６−２には、端子１７の突起状接続部２６が上方を向いた状態で収納される。
【００３４】
図１に示すように、端子受け入れ空洞部１６−１、１６−２は、断面概ね矩形で、端子１７の横断面に概ね対応した形状をしている。端子受け入れ空洞部１６−１の上壁面には、端子１７の挿入をガイドするスタビライザ部２７に対応した凹部が形成されて、端子受け入れ空洞部１６−２の底面には、端子１７の挿入をガイドするスタビライザ部２７に対応した凹部が形成されている。このように、端子受け入れ空洞部１６−１、１６−２は、端子１７、１７が、それぞれの突起状接続部２６が相互に向かい合って垂直方向に上下に配置されるように形成されている。
【００３５】
図５は、図４に示すD−D線に沿った断面図である。図５に示すように、コネクタハウジング部３の外周部にコネクタフード部１８が一体的に形成されている。コネクタフード部１８は、対称的に２分割された上ケース６および下ケース９のそれぞれの先端部８、１１が嵌合される、環状のケース受け入れ空洞部２１を形成している。環状のケース受け入れ空洞部２１は、上ケース６の先端部８および下ケース９の先端部１１によって形成される概ね環状の突出した嵌合部と対応した大きさおよび形状を有している。
【００３６】
コネクタハウジング部３は、図１を参照して説明したように、端子１７が収納される端子受け入れ空洞部１６−１、１６−２が、垂直方向に上下に配置されている。このように端子受け入れ空洞部１６−１、１６−２を備えたコネクタハウジング部３とコネクタフード部１８によって囲まれた空洞部が環状のケース受け入れ空洞部２１を形成している。
【００３７】
コネクタフード部１８の内側には、図１を参照して説明した溝部１２、１３に対応した大きさおよび形状のリブ部１９、２０が形成されている。即ち、コネクタフード部１８の内側に一体的に形成されたリブ部１９、２０が、上ケース６の先端部８に形成された溝部１２、下ケース９の先端部１１に形成された溝部１３とそれぞれ嵌合している。従って、このように形成された溝部１２、１３およびリブ部１９、２０によって、上ケース６および下ケース９の先端部８、１１は、コネクタフード部１８内に誘導され、固定される。
【００３８】
図６は、図３におけるＡ−Ａ線に沿った断面図である。図６に示すように、コネクタハウジング部３の端子１７側と反対側に位置する基板５側の端部には、相手側の端子である基板５の端子部２３が装着される基板受け入れ空洞部２２を備えている。このように形成された基板受け入れ空洞部２２には、基板５の端子部２３が装着される。同時に、上ケース６および下ケース９の対応する面が合わされて、上ケース６の先端部８および下ケース９の先端部１１が環状の突出した嵌合部を形成し、コネクタハウジング部３の外周部に設けられたコネクタフード部１８によって形成される環状のケース受入部２１に嵌合される。図６に示すように、２分割された上ケース６および下ケース９の先端部８、１１および基板５がそれぞれコネクタハウジング部３に嵌合され、固定される。
【００３９】
図７は、図６における円で囲んだ部分Ｅの拡大図である。図７に示すように、コネクタフード部１８の内面に形成されたリブ部２０の基部（図中、右側）近傍に位置決め用の凸形状部３１が形成され、上ケース６および／または下ケース９の先端部１１に形成された溝部１３の底面に、凸形状部３１に対応する形状の凹形状部３２を備えている。このように、リブ部および溝部の対応する位置に凸形状部３１および凹形状部３２を設けることによって、上下ケース６、９の先端部８、１１とコネクタフード部１８の嵌合の位置決めを容易に行うことができる。
【００４０】
更に、図７に示すように、上下ケース６、９の先端部にテーパー部３３が設けられ、コネクタフード部１８の内側に形成されるリブ部２０の先端部にテーパー部３４が設けられている。このように、上下ケースの先端部にテーパー部３３を設け、リブ部２０の先端部にテーパー部３４を設けることによって、上下ケース６、９の先端部８、１１の進行方向をコネクタフード部１８の方向に一致させ、それ以外の方向への応力の分散を抑制して、上下ケース６、９の先端部８、１１とコネクタフード部１８の嵌合を容易にすることができる。
なお、図示しないが、環状のケース受入部を形成するコネクタフード部１８の厚さが、基板５側の端部から漸次厚くなり、上ケース６および下ケース９の先端部８、１１の厚さが、コネクタフード部１８に対応して、先端に向かって漸次薄くなっていてもよい。このように厚さを変化させることによって、装着を容易にすることができる。
【００４１】
図８は、図３におけるＢ−Ｂ線に沿った断面図である。図８に示すように、上ケース６の先端部８に形成された突起部１４がコネクタハウジング部３のコネクタフード部１８に形成された窪み部１５に噛み合ってロック機能が果たされる。このように、上ケース６の先端部８に形成された突起部１４およびコネクタハウジング部３のコネクタフード部１８に形成された窪み部１５によってロックされるので、上下ケース６、９がコネクタハウジング部３に固定され、容易に離脱することはない。
【００４２】
図９は、図３におけるＣ−Ｃ線に沿った断面図である。図９に示すように、コネクタハウジング部３の基板受け入れ空洞部２２には、上ケース６および下ケース９に収納された基板５が装着され、基板５の端子部２３と端子１７とが電気的に接続される。図１０は、図９に示す楕円で囲んだ部分Ｆの拡大図である。図１０に示すように、コネクタハウジング部３に形成された端子受け入れ空洞部１６−１、１６−２には、それぞれの突起状接続部２６が相互に向かい合うように端子１７が配置される。突起状接続部２６は、コネクタハウジング部３に設けられた基板受け入れ空洞部２２に装着された基板５の端子部２３を挟むように固定して電気的に接続される。
【００４３】
この発明によると、薄型且つコンパクトで、ケース内に収納された基板等の端子部と、導体に電気的に接続された端子とを接続し、ケースの先端部を嵌合して固定することができるコネクタおよびコネクタアセンブリを提供することができる。
【符号の説明】
【００４４】
１  コネクタアセンブリ  
２  コネクタ
３  コネクタハウジング部
４  端子部
５  基板
６  上ケース
７  上ケース本体
８  先端部
９  下ケース
１０  下ケース本体
１１  先端部
１２  溝部
１３  溝部
１４  突起部
１５  窪み部
１６  端子受け入れ空洞部
１７  端子
１８  コネクタフード部
１９、２０  リブ部
２２  基板受け入れ空洞部
２３  端子部
２６  突起状接続部
２７  スタビライザ部
２８  ボックス部
２９  導体固定部
３１  凸形状部
３２  凹形状部
３３、３４  テーパー部
【図１】
2010238372.tif 000003
【図２】
2010238372.tif 000004
【図３】
2010238372.tif 000005
【図４】
2010238372.tif 000006
【図５】
2010238372.tif 000007
【図６】
2010238372.tif 000008
【図７】
2010238372.tif 000009
【図８】
2010238372.tif 000010
【図９】
2010238372.tif 000011
【図１０】
2010238372.tif 000012